(57)【特許請求の範囲】
【請求項１】
閃光手段を発光させる発光装置と、複数の測距領域を測距する多点測距装置と、いずれかの測距領域に対して合焦するようにレンズ駆動するレンズ駆動装置と、露光装置と、測光スイッチおよびレリーズスイッチを備えたカメラにおいて、
上記多点測距装置の各測距領域に対応する測光領域について測光する調光測光手段；
上記多点測距装置が測距した測距領域のうち、合焦状態または合焦状態に最も近い測距領域に対応する調光領域を選択する選択手段；および、
上記選択手段が選択した調光領域に基づいて上記発光装置を制御する調光装置；を備え、
測光スイッチがオンしたときに、上記多点測距装置およびレンズ駆動装置を作動させ、
レリーズスイッチがオンしたときに、上記多点測距装置を作動させてから前記選択手段を作動させ、前記露光装置および調光装置を作動させる制御手段を備えたことを特徴とする調光装置を備えたカメラ。
【請求項２】
請求項１記載の調光装置を備えたカメラにおいて、上記調光測光手段は、測光領域として上記複数の測距領域すべてを含む領域を測光する全体領域を有し、上記いずれの測距領域についても測距ができない場合には、前記全体領域を選択すること、を特徴とする調光装置を備えたカメラ。
【請求項３】
請求項１記載の調光装置を備えたカメラにおいて、上記各調光測光手段の各測光領域は、対応する上記測距領域と近似した広さであること、を特徴とする調光装置を備えたカメラ。
【請求項４】
請求項１から３のいずれか一項に記載の調光装置を備えたカメラにおいて、上記調光測光手段は、カメラの撮影レンズを透過し、フィルムで反射した被写体光を受光するＴＴＬ多点測光センサであること、を特徴とする調光装置を備えたカメラ。
【請求項５】
請求項１から４のいずれか一項に記載の調光装置を備えたカメラは、閃光手段としてストロボを内蔵していること、を特徴とする調光装置を備えたカメラ。
【請求項６】
請求項１から５のいずれか一項に記載の調光装置を備えたカメラにおいて、上記発光装置は、閃光手段として、カメラとは別体のストロボ装置の発光を制御すること、を特徴とする調光装置を備えたカメラ。
【発明の詳細な説明】
【０００１】
【産業上の利用分野】
本発明は、ストロボなどの閃光装置を発光させたときに、複数の測距領域の中の所定の測距領域に対応する領域内の被写体からの反射光量を測定し、調光する調光装置を備えたカメラに関する。
【０００２】
【従来技術およびその問題点】
被写界の複数の領域について測距または焦点検出ができる多点測距装置と、測距領域に対応する領域を測光する多点測光装置を備えたカメラが知られている。また、カメラのストロボ調光用の測光素子は、撮影画面全体に対応する測光領域を有する測光素子、あるいは複数に分割された撮影領域に対応する複数の測光素子を備えている。
【０００３】
しかし、この種の多点測距装置を備えたカメラは、撮影画面全体を測光領域に応じて分割したものなので、測距領域に比して測光領域が非常に広い。そのため、主要被写体の背景に反射率の高い物体、例えば白い壁、窓ガラスなどが存在する場合にストロボを発光させると、これらの高反射率物体で反射したストロボ光を調光用測光素子が受光する場合がある。この場合は逆光状態となってしまい、主要被写体に対して露光アンダーになって適正な露光ができないという問題があった。また、主要被写体の背景が非常に遠い場合には、測光領域の一部しか占めない主要被写体からの反射光しか受光しなくなり、主要被写体に対して露光オーバーしてまう虞れがあった。
【０００４】
【発明の目的】
本発明は、かかる問題に鑑みてなされたもので、多点測距、多点調光用測光により、主要被写体に対してストロボの発光制御が可能な調光装置を備えたカメラを提供することを目的とする。
【０００５】
【発明の概要】
この目的を達成する本発明は、閃光手段を発光させる発光装置と、複数の測距領域を測距する多点測距装置と、いずれかの測距領域に対して合焦するようにレンズ駆動するレンズ駆動装置と、露光装置と、測光スイッチおよびレリーズスイッチを備えたカメラにおいて、上記多点測距装置の各測距領域に対応する測光領域について測光する調光測光手段；上記多点測距装置が測距した測距領域のうち、合焦状態または合焦状態に最も近い測距領域に対応する調光領域を選択する選択手段；および、上記選択手段が選択した調光領域に基づいて上記発光装置を制御する調光装置；を備え、測光スイッチがオンしたときに、上記多点測距装置およびレンズ駆動装置を作動させ、レリーズスイッチがオンしたときに、上記多点測距装置を作動させてから前記選択手段を作動させ、前記露光装置および調光装置を作動させる制御手段を備えたこと、に特徴を有する。
【０００６】
【実施例】
以下図示実施例に基づいて本発明を説明する。図１は本発明を適用した一眼レフカメラの概要を示す図である。
【０００７】
通常、撮影レンズ１０を透過し、カメラボディ２０内に入射した被写体光は、撮影レンズ１０の光軸付近の一部がメインミラー２１を透過し、サブミラー２２で反射されてＡＦ多点測距ユニット３１に入射する。一方、メインミラー２１に入射した被写体光の大部分はここで反射され、フォーカシングスクリーン２３上に結像し、透過する。このフォーカシングスクリーン２３上に結像された被写体像が、接眼レンズ２５およびペンタプリズム２４を介して正立実像として撮影者に観察される。また、フォーカシングスクリーン２３を透過した被写体光の一部は、接眼レンズ２５の近傍に配置された分割測光センサ２６に入射する。なお、本実施例の説明で「測距」というときは、被写体距離の測定ではなく、撮影レンズ１０によって結像された像面の、カメラボディ２０のフィルム面に対するデフォーカス量を測定することを意味する。
【０００８】
また、露光中は、メインミラー２１が上昇して撮影光路を開放し、シャッタ２７が開く。したがって撮影レンズ１０を通った被写体光は、フィルム２８上に結像すると共に、フィルム２８で反射して、調光用のＴＴＬダイレクト多点測光センサ４１に入射する。ＴＴＬダイレクト多点測光センサ４１は、調光測光手段として、複数の測光センサ４１ａ〜４１ｆを備えている。
【０００９】
ペンタプリズム２４の上方前部には、内蔵ストロボ５１が配置されている。この内蔵ストロボ５１は周知の通り、発光部５２が図示の発光位置と、カメラボディ２０内に納まる収納位置とに移動する。
【００１０】
図２には、この一眼レフカメラの制御回路の要部をブロックで示してある。このカメラは、カメラの種々の動作を統括的に制御する制御回路６１、ＡＦ多点測距ユニット３１の各測距センサで検出した被写体像信号をデフォーカス信号に変換する焦点検出回路６３、分割測光センサ２６が検出した被写輝度信号を所定の測光輝度信号に変換する測光回路６５、ＴＴＬダイレクト多点測光センサ４１の複数の測光センサ４１ａ〜４１ｆの内の一つを選択し、選択した測光センサ４１ａ〜４１ｅの受光量を検出してストロボ光量を調整する調光回路６７、内蔵ストロボ５１を発光させるストロボ回路６９、およびシャッタ、ミラー、絞り等を駆動する露出制御回路７１を備えている。
【００１１】
図３には、調光回路６７をより具体的に示してある。ＴＴＬダイレクト多点測光センサ４１を構成する各測光センサ（フォトダイオード）４１ａ〜４１ｆの各アノードは、マルチプレクサ４２に接続され、カソードはオペアンプ４３の非反転端子に接続されている。マルチプレクサ４２は、制御回路（ＣＰＵ）６１から受光センサ選択信号を受けて、対応する１個の測光センサ４１ａ〜４１ｆのベースにバイアス電圧を印加して選択する。
【００１２】
オペアンプ４３の出力端子と反転端子との間には積分コンデンサ４４が接続されている。選択された測光センサ４１ａ〜４１ｆは受光強度に応じて電流を出力し、それをオペアンプ４３が増幅し、その増幅電流を積分コンデンサ４４が積分する。この積分コンデンサ４４と並列に、積分をON/OFFする積分スイッチ４５が接続されている。積分スイッチ４５がオンすると積分コンデンサ４４が放電するとともに積分動作を停止し、オフすると積分コンデンサ４４が積分を開始する。なお、積分スイッチ４５は、通常はオンされていて、シャッタ先幕（図示せず）の走行と同期してオフされる。
【００１３】
積分コンデンサ４４の積分値はコンパレータ４７の反転端子に入力される。コンパレータ４７の非反転端子には、D/A コンバータ４６が出力するTTL_DAレベルが入力されている。このD/A コンバータ４６は、制御回路６１が ISO感度Ｓv および露出補正値Ｘv に基づいて設定した閃光停止レベル（TTL_DAレベル）をアナログのTTL_DAレベルに変換して出力する。したがって、積分値がTTL_DAレベルに達すると、コンパレータ４７はハイレベルの信号を出力する。このコンパレータ４７出力がクエンチ信号であって、クエンチ信号を入力した制御回路６１は、ストロボ回路６９に内蔵ストロボ５１の発光を停止させ、さらに外付けストロボが装着されているときには外付けストロボの発光も停止させる。なお、ストロボ回路６９は、調光回路６７からクエンチ信号を直接入力して発光を停止する構成でもよい。
【００１４】
以上の通りこの調光回路６７は、選択された測光センサ４１ａ〜４１ｆの受光量を積分回路４３、４４で積分し、コンパレータ４７でその積分値と所定値（閃光停止レベルTTL_DA）とを比較して、積分値が所定値に達したらコンパレータ４７からクエンチ信号を出力して内蔵ストロボ５１、外付けストロボの発光を停止させる。
【００１５】
本発明の特徴である構成について、さらに図４を参照して詳細に説明する。図４の（Ａ）および（Ｂ）は、ＡＦ多点測距ユニット３１およびＴＴＬダイレクト多点測光センサ４１の各センサの撮影画面における測距領域および測光領域を示す図、（Ｃ）はこれらの領域を重ね合わせた様子を示す図である。
【００１６】
ＡＦ多点測距ユニット３１の５個の測距センサ（図示せず）は、撮影画面２９内において、それぞれ異なる位置に設定された５個の測距領域３３ａ〜３３ｅ内の被写体に関するデフォーカス量を検出する。なお、以下本明細書で「デフォーカス量」というときは、その絶対値を意味するものとする。
一方、ＴＴＬダイレクト多点測光センサ４１も、各測距領域３３ａ〜３３ｅに対応する位置に設定された５個の測光領域４３ａ〜４３ｅ内の被写体からの反射光を受光できる測光素子、つまり測光センサ４１ａ〜４１ｅを備えている。これら測距領域３３ａ〜３３ｅおよび測光領域４３ａ〜４３ｅは、撮影画面２９上において重複する位置に設定してある（図４（Ｃ）参照）。しかも各測光領域４３ａ〜４３ｅは、その寸法が大きいと露光オーバーを招く可能性があるため、測距領域３３ａ〜３３ｅよりもやや大きい領域に設定してある。各測光領域４３ａ〜４３ｅは、対応する測距領域３３ａ〜３３ｅと同程度の大きさが好ましいが、測光領域４３ａ〜４３ｅの方が小さくてもよい。
【００１７】
さらに本実施例の多点測光センサ４１は、撮影画面２９のほぼ全域の被写体光を受光する測光領域４３ｆを測光する測光センサ４１ｆを備えている。この測光センサ４１ｆは、主要被写体の位置が選択不能のとき、あるいはデフォーカス量最小のセンサが規定値よりも大きいときに対処するためである。
【００１８】
なお、これらの領域３３ａ〜３３ｅ、４３ａ〜４３ｅの数および位置は図示実施例に限定されない。位置関係は測距領域３３ａ〜３３ｅと測光領域４３ａ〜４３ｅとが対応すればよく、各領域の面積は、等しいかその差が小さいことが望ましい。また、すべての測距領域に対応する受光領域は存在しなくてもよい。
【００１９】
次に、本一眼レフカメラの撮影動作の特徴であるストロボ調光処理について、図６から図８に示したフローチャートを参照して説明する。なお、図示実施例の処理は、ＣＰＵ６１の内部ＲＯＭに書込まれたプログラムに基づいてＣＰＵ６１の統括的制御下で実行される。
【００２０】
この一眼レフカメラは、各測距領域３３ａ〜３３ｅについてデフォーカス量を検出して、この中でデフォーカス量が小さい測距センサに対応する調光用受光センサを選択し、露光時にストロボを発光させ、上記選択した測光素子により受光光量を検出し、所定受光量に達したらストロボの発光を停止することに特徴がある。これにより、合焦状態の被写体に対して最適な発光量が得られる。
【００２１】
ＳＴＡＲＴ処理には、測光スイッチＳＷＳがオンしたときに入る。この処理に入ると、先ず、各測距領域３３ａ〜３３ｅについて測距処理を行ない、各測距領域３３ａ〜３３ｅについてデフォーカス量を算出する（Ｓ１０１）。そして、所定の測距領域３３ａ〜３３ｅについてのデフォーカス量に基づいてＡＦモータを起動し、その測距領域３３ａ〜３３ｅ内の被写体に対して合焦処理を行なう（Ｓ１０３）。
【００２２】
ここで、所定の測距領域３３ａ〜３３ｅとは、撮影者がマニュアル設定した領域、または制御手段が自動選択した領域である。その選択手段は図示しないが、マニュアル設定では撮影者が設定手段を操作して測距領域３３ａ〜３３ｅを選択する構成、自動設定では、制御手段が最も近距離の被写体に対応する領域を選択する構成、あるいは撮影者の視線を検出して設定する構成が知られている。
【００２３】
ＡＦ処理が終了すると、ＡＥ演算処理を実行する（Ｓ１０５）。ＡＥ演算処理のサブルーチンを図７に示してある。このＡＥ演算処理では、分割測光センサ２６から被写体輝度データを入力し、その輝度データに基づいて測光演算を実行して被写体輝度を算出する（Ｓ２０１）。この被写体輝度と、 ISO感度Ｓv および露出補正値Ｘv に基づいて、あらかじめ撮影者により設定されている露出モード、例えばプログラム、シャッタ優先、絞り優先、ストロボプログラム露出モード等により、ストロボ発光を前提とした絞り値Ａv およびシャッタ速度Ｔv （露出時間）を算出する（Ｓ２０３）。さらに、 ISO感度Ｓv および露出補正値Ｘv に基づいて、TTL_DAレベルを演算し、設定する（Ｓ２０５）。
【００２４】
そして、各測距領域３３ａ〜３３ｅおよび測光センサ４１ａ〜４１ｆの選択動作を行ないリターンする（Ｓ２０７、Ｓ２０９）。
この選択動作においては、測距領域が既に任意設定されている場合は、その設定された測距領域および対応する測光センサを選択するが、自動設定の場合は、再度、求められらた測距領域３３ａ〜３３ｅ毎のデフォーカス量をそれぞれ比較し、最もデフォーカス量が小さい測距領域およびその測距領域に対応した測光センサを選択してリターンする（Ｓ２０７、Ｓ２０９）。この処理は、前述のＳ１０３のＡＦ処理における撮影レンズ駆動完了後に実行されるので、結局、現在の撮影レンズの位置において、合焦状態あるいは合焦状態に最も近い測距領域が選択されることになる。
【００２５】
ここで、１個の測距領域３３ａ〜３３ｅを選択できない場合を生じる。例えば、すべての測距領域３３ａ〜３３ｅまたは複数の測距領域３３ａ〜３３ｅのデフォーカス量が所定値以内の場合、あるいはすべての測距領域３３ａ〜３３ｅのデフォーカス量が所定値以上である場合がある。この場合は、平均測光用の測光センサ４１ｆを選択する選択信号を出力する。この選択信号を受けたマルチプレクサ４２が４１ｆを選択する。
【００２６】
以上のＡＥ露出演算処理が終了すると、レリーズスイッチＳＷＲがオンされるのを、上記処理を繰り返して待つ（Ｓ１０９、Ｓ１０１〜Ｓ１０９）。レリーズスイッチＳＷＲがオンされたら、Ｓ１０１と同じ測距処理およびステップＳ１０５と同じＡＥ処理を実行して使用する測光センサ４１ａ〜４１ｆを選択する（Ｓ１１１、Ｓ１１３）。ここで、測距処理を実行してもレンズ駆動処理（ＡＦ処理）は実行しないのは、例えばいわゆるフォーカスロックを実行した後に構図を変更する場合があるからである。かかる場合でも、レリーズスイッチＳＷＲがオンされた後に測距処理を実行することで、主要被写体がどの測距領域３３ａ〜３３ｅに位置するかが分かり、ＡＥ処理を実行することでその主要被写体が位置する測距領域３３ａ〜３３ｅに対応する測光センサ４１ａ〜４１ｅおよび４１ｆを選択できる。Ｓ１１３のＡＥ演算処理が終了したら、レリーズ処理を実行し、レリーズ処理が終了したらＳ１０１に戻る（Ｓ１１５）。
【００２７】
Ｓ２０７の多点ＡＦセンサデフォーカス量比較処理の詳細について、図８に示したサブルーチンを参照してより詳細に説明する。なお、以下のサブルーチンの説明において、CODE１〜５は測光センサ４１ａ〜４１ｅに対応し、CODE０は測光センサ４１ｆに対応している。
【００２８】
この比較処理は、測光センサ４１ａ〜４１ｅに対応する測距領域３３ａ〜３３ｅのデフォーカス量を順番に比較して最も小さいデフォーカス量を選択し、最小デフォーカス量が所定値未満のときにはその最小デフォーカス量に対応する測光センサ４１ａ〜４１ｅを選択し、最小デフォーカス量が所定値よりも大きいときには測光センサ４１ｆを選択することに特徴を有する。
【００２９】
このサブルーチンに入ると、先ず全ての測距領域３３ａ〜３３ｅで有効なデフォーカス量が得られているか否かを判別する（Ｓ３０１）。全て無効の場合は、Ｓ３１９へスキップし、全部が有効の場合はＳ３０７に進む（Ｓ３０１、Ｓ３０３）。一部に無効のデフォーカス量が存在する場合は、その無効のデフォーカス量にダミーのデフォーカス量ＳをセットしてＳ３０７に進む（Ｓ３０１、Ｓ３０３、Ｓ３０５）。なお、ダミーのデフォーカス量Ｓは、後述するデフォーカス量Ｄ′よりも大きな値である。
【００３０】
Ｓ３０７では、CODE１をセットする。そして、CODE１に対応する測距領域３３ａのデフォーカス量を変数Ｄに代入し、変数ｎに１をセットする（Ｓ３０９、Ｓ３１１）。なお変数ｎは、測光センサ４１ａ〜４１ｅ、測距領域３３ａ〜３３ｅに対応する１から５までの整数である。
【００３１】
変数ｎに１を加算し、デフォーカス量Ｄが測距領域３３ｂのデフォーカス量よりも小さいか否かを比較する（Ｓ３１３、Ｓ３１５）。小さくなければ、デフォーカス量を変数Ｄに代入し、CODE２をセットしてＳ３０７に戻る（Ｓ３１７、Ｓ３１９、Ｓ３２１、Ｓ３１３）。小さければ、Ｓ３１７、Ｓ３１９をジャンプしてＳ３１３に戻る（Ｓ３１５、Ｓ３２１、Ｓ３０７）。以上の比較設定処理を、５個の測距領域３３ａ〜３３ｅのデフォーカス量について繰り返し、最も小さいデフォーカス量と測距領域とが選択される。
【００３２】
すべてのデフォーカス量についての処理が終了したら、デフォーカス量Ｄを、予め設定されたデフォーカス量Ｄ′と比較し、デフォーカス量Ｄの方が小さければそのままリターンし、大きければCODEに０をセットしてリターンする（Ｓ３２３、Ｓ３２５）。なお、デフォーカス量Ｄ′は、所定の許容デフォーカス量であり、デフォーカス量Ｄが許容範囲内のデフォーカス量Ｄ′を越えている場合は、ＡＦ動作で所望の被写体に合焦させた後に構図を変更して、被写体が測距領域のいずれに入っておらず、背景や被写体手前の主要被写体以外のものが測距領域に入っている場合であり、この場合は、安全のためにCODE０、すなわち測光センサ４１ｆを選択させるのである。
【００３３】
以上のＳ３０１〜Ｓ３２５の処理により選択された最短撮影距離に相当するCODEｎに対応する測光センサ４１ａ〜４１ｆを使用して、ＴＴＬ調光が実行される。
【００３４】
レリーズ処理の詳細を図９に示した。レリーズ処理に入ると、ミラー２１をアップし、ミラー２１のアップに連動する絞り込み機構（図示せず）により絞り込まれる絞り１１を設定絞り値に保持する。ミラー２１のアップ完了するとシャッタ２７の先幕を走行させて露光および積分コンデンサ４４による積分を開始し、先幕の走行が終了したら、ストロボ回路６９にストロボ５１の発光を開始させると共に、Ｓ２０９において選択した測光センサ４１ａ〜４１ｆによる被写体反射光の積分値が設定値に達するまで、つまりコンパレータ４７からクエンチ信号が出力されるのを待つ（Ｓ４０５、Ｓ４０７、Ｓ４０９）。
【００３５】
積分値が設定値に達し、コンパレータ４７からクエンチ信号が出力されると、ストロボ回路６９に発光を停止させて、設定した露光時間が経過するのを待つ（Ｓ４０７、Ｓ４１１、Ｓ４１３）。そして、設定した露光時間が経過したらレリーズ後処理、つまり後幕の走行、ミラー２１のダウン、フィルム２８の巻き上げ、ミラーチャージ、シャッタチャージなどの処理実行してリターンする（Ｓ４１５）。なお、クエンチ信号が出力される前に露光時間が経過したら、ストロボ発光を停止し、ストロボ発光を停止させてレリーズ後処理を実行する（Ｓ４０７、Ｓ４０９、Ｓ４１１〜Ｓ４１５）。
【００３６】
以上の処理により、合焦している被写体に対応するＴＴＬダイレクト多点測光センサ４１によりＴＴＬストロボ調光がなされるので、合焦している主要被写体に対して適正露光値によるストロボ撮影がなされる。例えば、図５の（Ａ）に示したように、主要被写体８０が撮影画面２９の中央に位置して領域３３ｃ、４３ｃに重なっているときには、主要被写体８０が入る測距領域３３ｃに対して合焦処理が実行され、測光領域４３ｃに対応する測光センサ４１ｃが選択され、主要被写体８０からの反射光に基づいてストロボ５１の光量調整がなされる。したがって、この撮影では、主要被写体８０について合焦し、かつ主要被写体８０に対して適正露光値となる。
【００３７】
しかも本実施例は、測光領域３３ｃが主要被写体８０に対して十分小さいので、測光センサ３１ｃに入射する被写体光はほとんど主要被写体８０からのものである。したがって、ストロボ調光に関して主要被写体８０の背景の影響はほとんど受けない。
【００３８】
また、構図を図５の（Ｂ）のように変えて主要被写体８０を撮影画面２９の右端に配置したときには、主要被写体８０が入る測距領域３３ｅに対して合焦処理がされ、さらに測光領域４３ｅに対応するＴＴＬダイレクト測光センサ４１ｅが選択される。したがって、この場合も主要被写体８０に対して合焦し、かつ適正露光値で撮影ができる。
【００３９】
また、図５の（Ａ）の位置でフォーカスロックをかけてから同図の（Ｂ）のように構図を変更した場合でも、露光直前の測距処理により、主要被写体８０が入る測距領域３３ｅが検出され、この測距領域３３ｅに対応する測光領域４３ｅ、つまりＴＴＬダイレクト測光センサ４１ｅが選択される。したがって、この場合も主要被写体８０に対して適正露光値で撮影ができる。
【００４０】
以上は自動焦点調節モードでの撮影であったが、本発明は、マニュアル焦点調節モードでの撮影にも適用できる。この場合は、測距領域３３ａ〜３３ｅに対する測距および測距結果に基づいて最もデフォーカス量の絶対値が小さい測距領域３３ａ〜３３ｅに対応する測光センサ４１ａ〜４１ｅ、および４１ｆを選択し、ストロボ調光を行なう。したがって、マニュアルフォーカスのときも、合焦状態にある主要被写体に対して適正なストロボ調光がなされる。
【００４１】
【発明の効果】
以上の説明から明らかな通り本発明は、閃光装置、多点測距装置およびその測距領域に対応する領域を、露光中に独立して測光する多点測光手段を備え、上記各測距領域のうち、合焦状態または合焦状態に最も近い測距領域に対応する領域を測光する測光手段を選択し、閃光装置発光時にはその測光手段の測光結果に基づいて閃光装置の発光停止を制御するので、常に合焦した、または合焦状態に近い主要被写体に対して適正な露光値による撮影ができる。
【図面の簡単な説明】
【図１】本発明を適用した一眼レフカメラの実施例の概要を示す図である。
【図２】同一眼レフカメラの主要回路の概要を示すブロック図である。
【図３】同一眼レフカメラの調光回路をより具体的に示す回路図である。
【図４】同一眼レフカメラの多点測距領域およびＴＴＬ多点測光領域との関係を説明する図である。
【図５】同一眼レフカメラにおける被写体と多点測距領域およびＴＴＬ多点測光領域との関係を説明する図である。
【図６】本発明の閃光処理に関するメインフローチャートを示す図である。
【図７】同メインフローチャート中のＡＥ処理に関するサブルーチンを示す図である。
【図８】同メインフローチャート中の多点ＡＦセンサーデフォーカス量比較処理に関するサブルーチンを示す図である。
【図９】同メインフローチャート中のレリーズ処理に関するサブルーチンを示す図である。
【符号の説明】
１０  撮影レンズ
２０  カメラボディ
２１  メインミラー
２２  サブミラー
２８  フィルム
３９  撮影画面
３１  ＡＦ多点測距ユニット
３３ａ〜３３ｅ  測距領域
４１  ＴＴＬダイレクト多点測光センサ
４１ａ〜４１ｆ  測光センサ
４３ａ〜４３ｆ  測光領域
５１  内蔵ストロボ
６１  ＣＰＵ
【図１】
0003831422.tif 000002
【図２】
0003831422.tif 000003
【図３】
0003831422.tif 000004
【図４】
0003831422.tif 000005
【図５】
0003831422.tif 000006
【図６】
0003831422.tif 000007
【図７】
0003831422.tif 000008
【図８】
0003831422.tif 000009
【図９】
0003831422.tif 000010